(57)【要約】【課題】土壌汚染物質の除去が困難であった粘性土を含む地盤において、地中に浸透した土壌汚染物質を効率的、経済的且つ限定的に除去することができる土壌汚染物質の除去方法を提供する。【解決手段】地中に浸透した土壌汚染物質を除去するに際し、長手方向に沿って細管１３を挿設した長尺状のドレーン材１０を用い、鉛直方向に沿って地中にドレーン材１０を埋設し、ドレーン材１０の細管１３を通して土壌汚染物質を含む地下水及び気体のうちの少なくとも地下水を地上側で回収する。【選択図】  図１
2007083196.tif 000002
【特許請求の範囲】
【請求項１】
地中に浸透した土壌汚染物質を除去するに際し、長手方向に沿って細管を挿設した長尺状のドレーン材を用い、鉛直方向に沿って地中にドレーン材を埋設し、ドレーン材の細管を通して土壌汚染物質を含む地下水及び気体のうちの少なくとも地下水を地上側で回収することを特徴とする土壌汚染物質の除去方法。
【請求項２】
長手方向に沿って細管が挿設され且つ鉛直方向に沿って地中に埋設される長尺状のドレーン材と、地中に埋設したドレーン材の細管に連結した配管を介して土壌汚染物質を含む地下水を回収する地下水回収手段を備えたことを特徴とする土壌汚染物質の除去装置。
【請求項３】
地中に埋設したドレーン材の細管に連結した配管を介して気体を回収する気体回収手段を備えたことを特徴とする請求項２に記載の土壌汚染物質の除去装置。
【請求項４】
配管を介して土壌汚染物質を含む地下水及び気体を夫々の回収手段側に吸引する吸引用ポンプを備えたことを特徴とする請求項３に記載の土壌汚染物質の除去装置。
【請求項５】
地下水及び気体の回収手段が、回収した地下水及び気体を無害化する処理手段を含むことを特徴とする請求項３又は４に記載の土壌汚染物質の除去装置。
【発明の詳細な説明】
【技術分野】
【０００１】
本発明は、地中に浸透した土壌汚染物質を地下水とともに除去するのに利用される土壌汚染物質の除去方法及び除去装置に関するものである。
【背景技術】
【０００２】
近年、土壌汚染が想定される地盤に対しては、汚染状態の調査や汚染物質の除去等を行うことが義務付けられており、とくに、工場等の施設の跡地を宅地として使用する場合などには、地中に浸透した土壌汚染物質を除去することがきわめて重要となる。
【０００３】
また、除去の対象となる土壌汚染物質としては、溶剤や洗浄剤などに使用される揮発性有機化合物（ＶＯＣ）や、重金属類及び農薬類が挙げられている。この中で、密度が大きいものや水に連行されるようなものは、時間経過とともに重力の作用で地中に浸透し、土壌汚染が顕在化したときには深度数十メートルまで土壌汚染が及んでいることがある。
【０００４】
従来において、地中に浸透した土壌汚染物質を除去するには、地盤を掘削して土壌汚染物質を含む土壌や地下水を直接を除去するか、掘削前の地盤あるいは掘削後の土壌に添加剤を加え、土壌と添加剤を攪拌混合することによって土壌汚染物質を無害化するのが一般的であった。
【０００５】
また、土壌汚染物質を除去しようとする地盤が透水性の高い砂質土（砂礫等）から成るものである場合には、集水井戸を設置してポンプで連続的に排水することにより、地下水とともに土壌汚染物質を除去することが行われていた。
【発明の開示】
【発明が解決しようとする課題】
【０００６】
ところが、土壌汚染物質を除去しようとする地盤が粘性土（ローム等）を含むものである場合、粘性土は透水性が低いことから、その間隙に存在する土壌汚染物質を充分に除去することが困難であった。
【０００７】
そして、地盤の掘削や土壌と添加剤との攪拌混合を行う除去方法では、土壌汚染物質が深度数十メートルに浸透する場合もあることから、その作業が非常に大掛りになるという問題点があり、また、集水井戸を用いた除去方法では、先述の如く透水性の高い地盤に限られるほか、土壌汚染物質を除去しようとする範囲以外の地下水をも除去することとなるため、限定的な範囲での土壌汚染物質の除去が困難であるという問題点があった。
【０００８】
本発明は、上記従来の状況に鑑みて成されたもので、とくに、土壌汚染物質の除去が困難であった粘性土を含む地盤において、地中に浸透した土壌汚染物質を効率的、経済的且つ限定的に除去することができる土壌汚染物質の除去方法及び除去装置を提供することを目的としている。
【課題を解決するための手段】
【０００９】
本発明の土壌汚染物質の除去方法は、地中に浸透した土壌汚染物質を除去するに際し、長手方向に沿って細管を挿設した長尺状のドレーン材を用い、鉛直方向に沿って地中にドレーン材を埋設し、ドレーン材の細管を通して土壌汚染物質を含む地下水及び気体のうちの少なくとも地下水を地上側で回収することを特徴としている。
【００１０】
また、本発明の土壌汚染物質の除去装置は、長手方向に沿って細管が挿設され且つ鉛直方向に沿って地中に埋設される長尺状のドレーン材と、地中に埋設したドレーン材の細管に連結した配管を介して土壌汚染物質を含む地下水を回収する地下水回収手段を備えたことを特徴としている。
【００１１】
ここで、上記の除去方法及び除去装置では、土壌汚染物質を除去しようとする地盤は、当然のことながら所定の範囲をもつものであるから、その範囲において多数のドレーン材を所定間隔で埋設し、各ドレーン材の細管を通して土壌汚染物質を含む地下水や気体を地上側で回収することとなる。
【００１２】
さらに、本発明の土壌汚染物質の除去装置は、より好ましい実施形態として、地中に埋設したドレーン材の細管に連結した配管を介して気体を回収する気体回収手段を備えたことを特徴としている。
【００１３】
さらに、本発明の土壌汚染物質の除去装置は、より好ましい実施形態として、配管を介して土壌汚染物質を含む地下水及び気体を夫々の回収手段側に吸引する吸引用ポンプを備えたことを特徴としている。
【００１４】
さらに、本発明の土壌汚染物質の除去装置は、より好ましい実施形態として、地下水及び気体の回収手段が、回収した地下水及び気体を無害化する処理手段を含むことを特徴としている。
【発明の効果】
【００１５】
本発明の土壌汚染物質の除去方法によれば、土壌汚染物質の除去が難しい粘性土を含む地盤であっても、主として、細管を備えたドレーン材を地中に埋設する作業だけで、地中の土壌汚染物質を地下水とともに経済的に且つ効率良く除去することができ、また、限定的な範囲において土壌汚染物質を除去することができほか、地上側に回収した土壌汚染物質を一箇所で厳密に集中管理することが容易である。
【００１６】
本発明の土壌汚染物質の除去装置によれば、長尺状のドレーン材及び地下水回収手段を採用したことにより、主として地中にドレーン材を埋設する作業だけで、地中の土壌汚染物質を地下水とともに経済的に且つ効率良く除去することができ、また、限定的な範囲において土壌汚染物質を除去することができるほか、地上側に回収した土壌汚染物質を一箇所で厳密に集中管理することができる。
【００１７】
また、本発明の土壌汚染物質の除去装置は、気体回収手段を採用したことにより、とくに、土壌汚染物質が揮発性有機化合物である場合に、揮発性有機化合物の気体を地上側で回収して一箇所で厳密に集中管理することができる。
【００１８】
さらに、本発明の土壌汚染物質の除去装置は、吸引用ポンプを採用したことにより、地中に浸透した土壌汚染物質の除去及び回収を促進することができ、工期の短縮化などに貢献し得るものとなる。
【００１９】
さらに、本発明の土壌汚染物質の除去装置は、処理手段を含む地下水及び気体の回収手段を採用したことにより、環境保護などの面で非常に有益なものとなる。
【実施例】
【００２０】
以下、図面に基づいて、本発明に係わる土壌汚染物質の除去方法及び除去装置の一実施例を説明する。
【００２１】
図１（ａ）に全体を示す土壌汚染物質の除去装置は、地中に浸透した土壌汚染物質すなわち主として液体である土壌汚染物質を地下水とともに除去するものであって、土壌汚染物質を除去しようとする地盤Ｇに対し、その地中に埋設されるドレーン材１０を備えている。
【００２２】
ドレーン材１０は、図１（ｂ）（ｃ）に示すように、断面扁平形状で長尺を成す主材１１と、主材１１の長手方向にわたって収容した波型のコア材１２と、主材１１の長手方向に沿って挿設した適数（図には１本を示す）の細管１３を備えている。
【００２３】
主材１１は、例えば不織布で形成してあり、液体及び気体が透過可能である。コア材１２は、例えば紙や樹脂で形成してあり、主材１１の中空形状を維持する。細管１３は、例えば内径２ｍｍ程度の樹脂製チューブであり、上端部を主材１１から突出させると共に、下端部が主材１１の下端部よりも上位側となるように位置及び長さが調整してある。この細管１３は、毛細管現象により液体を吸い上げることが可能である。
【００２４】
そして、ドレーン材１０は、既知のドレーン打設機を用いて、土壌汚染物質が存在する地中の深度に至るまで鉛直方向に沿って縦に埋設され、上端部を地上に露出させた状態にする。このとき、地盤Ｇは当然所定の面積を有するので、この地盤Ｇに対して縦横に所定間隔で多数のドレーン材１０を埋設する。また、土壌汚染物質や地下水が存在する地中の深度は、予め行う地質調査等によって把握することができる。
【００２５】
また、当該除去装置は、埋設した各ドレーン材１０の上端部にジョイント１４を装着すると共に、このジョイント１４において、細管１３の上端部と配管を構成する枝管１５とを夫々連結する。各枝管１５は、配管を構成する共通の主管１６に接続してある。
【００２６】
さらに、当該除去装置は、主管１６の一端を閉塞端とし、他端を開放端とすると共に、開放端側に、土壌汚染物質を含む地下水を回収する地下水回収手段１７と、土壌汚染物質の気体を回収する気体回収手段１８と、配管を介して土壌汚染物質を含む地下水及び気体を夫々の回収手段１７，１８側に吸引する吸引用ポンプ１９を備えている。
【００２７】
地下水及び気体の回収手段１７，１８は、回収した地下水及び気体を無害化する処理手段１７Ａ，１８Ａを備えている。これらの処理手段１７Ａ，１８Ａでは、例えばフィルタを用いた濾過や添加剤との攪拌混合などにより、液体及び気体である土壌汚染物質を無害化する処理を行う。
【００２８】
上記の構成を備えた土壌汚染物質の除去装置では、地中に埋設したドレーン材１０において、主材１１がフィルターの役割を果たし、内部への土砂の流入を阻止するとともに地下水を内部に透過させ、透過した地下水を細管１３で吸い上げる。つまり、土壌汚染物質を含む地下水が細管１３内を上昇し、また、土壌汚染物質が揮発性有機化合物である場合には、揮発した気体も細管１３内を上昇することとなる。
【００２９】
このとき、当該除去装置では、細管１３における毛細管現象で地下水及び気体を吸い上げることも可能であるが、吸引用ポンプ１９を作動させて、配管（主管１６、枝管１５）を介して各細管１３の内部を吸引することにより、土壌汚染物質を含む地下水及び気体を強制的に吸引することができ、これにより地下水及び気体の除去回収が促進され、工期の短縮化も実現し得る。
【００３０】
また、上記の吸引ポンプ１９には、例えばダイヤフラムポンプを用いることができ、このポンプで細管１３の内部に微弱な真空吸引を加えるだけで、ドレーン材１０内に透過した地下水及び気体を間断なく吸引し続けることができ、これにより地下水もドレーン材１０に向かって最短距離で集中することとなる。
【００３１】
そして、当該除去装置では、地上側において、土壌汚染物質を含む地下水を地下水回収手段１７に回収し、その処理手段１７Ａにより地下水を無害化すると共に、土壌汚染物質の気体を気体回収手段１８に回収し、その処理手段１８Ａにより気体を無害化する。
【００３２】
このように、上記実施例で説明した土壌汚染物質の除去方法及び除去装置は、大規模な地盤の掘削等の作業が不要であると共に、ドレーン工法などで用いる載苛盛土やサンドマットによる加圧・排水工、あるいは大気圧工法などで地表を密封する気密シートや水平ドレーン工も不要であって、土壌汚染物質の除去が難しい粘性土を含む地盤Ｇであっても、主として地中にドレーン材１０を埋設する作業だけで、地中の土壌汚染物質を地下水とともに経済的に且つ効率良く除去し得るものとなり、さらに、限定的な範囲において土壌汚染物質を除去することが可能である。
【００３３】
そして、上記の除去方法及び除去装置は、地下水及び気体の回収手段１７，１８において、地上側に回収した土壌汚染物質を含む地下水及び気体を一箇所で厳密に集中管理することができ、なお且つ、各回収手段１７，１８の処理手段１７Ａ，１８Ａで地下水及び気体を無害化することから、環境保護等にも貢献し得るものとなる。
【００３４】
なお、本発明に係わる土壌汚染物質の除去方法及び除去装置は、その詳細な構成が上記実施例に限定されるものではなく、ドレーン材や各回収手段及び処理手段などの細部を適宜変更することができる。
【図面の簡単な説明】
【００３５】
【図１】本発明に係わる土壌汚染物質の除去装置の一実施例において、全体を説明する断面図（ａ）、ドレーン材の部分破断側面図（ｂ）及び断面図（ｃ）である。
【符号の説明】
【００３６】
１０    ドレーン材
１３    細管
１５    枝管（配管）
１６    主管（配管）
１７    地下水回収手段
１７Ａ  地下水の処理手段
１８    気体回収手段
１８Ａ  気体の処理手段
１９    吸引用ポンプ
【図１】
2007083196.tif 000003